(57)【特許請求の範囲】
【請求項１】
複数の収納ケースが上下方向に重ねて収納される携行具本体の側部に、当該収納ケースを出し入れする開口部が形成されると共に、当該開口部を開閉する蓋体を備えた釣用携行具に於て、
上記携行具本体内の底部を、開口部側から携行具本体の奥部側に向かって下方へ傾斜させたことを特徴とする釣用携行具。
【請求項２】
携行具本体内に、開口部側から奥部側に向かって下方へ傾斜する底体を装着したことを特徴とする請求項１記載の釣用携行具。
【請求項３】
底体は、携行具本体に着脱自在であることを特徴とする請求項２記載の釣用携行具。
【発明の詳細な説明】
【０００１】
【発明の属する技術分野】
本発明は、ルアーや釣針，錘，釣糸等の小物用品を収納した収納ケースを収納，運搬する釣用携行具（釣用バッグ）に関する。
【０００２】
【従来の技術】
従来、複数のルアーや釣針，錘，釣糸等の小物用品を釣場に持参する場合、これらを用品毎に樹脂製の収納ケースに収納して、各収納ケースを釣用携行具に収納して釣場に運搬している。
図６はこの種の釣用携行具を示し、図中、１は撥水加工処理が施されたナイロン製の釣用携行具で、当該釣用携行具１は正面側側部に開口部３が形成された略直方体形状の携行具本体５と、当該開口部３を上方から覆うカバー（蓋体）７、そして、携行具本体５の左右側部に取り付く複数のポケット部９，１１，１３とからなり、携行具本体５の各角部の内側に軟質の芯材（図示せず）が縫着されてその外形形状が維持されている。
【０００３】
而して、既述したように上記開口部３は、携行具本体５の正面側側部に設けられており、当該開口部３を介して携行具本体５内に扁平な直方体形状の収納ケース１５が上下方向に重ねて複数収納できるようになっている。そして、当該開口部３とこれを覆うカバー７の周縁部に開閉用のファスナ１７が縫着されている。また、図示しないが携行具本体５の上部にはショルダーベルトや提手が取り付けられており、当該ショルダーベルトや提手を介して釣用携行具１を持ち運ぶことができるようになっている。
【０００４】
【発明が解決しようとする課題】
しかし乍ら、従来、この種の釣用携行具１は、携行具本体５の内底面１９がその正面側側部や左右両側部と直交するように略水平に形成されていたため、船上のように揺れる場所や傾斜した場所でカバー７を開放すると、内部に収納した収納ケース１５が開口部３から飛び出してしまう虞があった。
【０００５】
このため、斯かる状況下で収納ケース１５を出し入れする際には、カバー７を開放したままにできず、いちいちファスナ１７を操作して開口部３を閉めておかなければならないが、収納ケース１５を出し入れする度にファスナ１７を操作してカバー７を開けたり閉めたりするのは煩わしいといった指摘がなされている。また、収納ケース１５は携行具本体５内に上下方向に水平に積み重なって収納されているため、開口部３から下段側の収納ケース１５を引き出すと、これと共に上段側の収納ケース１５も一緒に釣用携行具１から引き出されてしまう不具合があった。
【０００６】
本発明は斯かる実情に鑑み案出されたもので、内部に積み重ねて収納した収納ケースの出し入れを容易にし、併せて開口部を開放した状態での収納ケースの不用意な飛び出しを防止した釣用携行具を提供することを目的とする。
【０００７】
【課題を解決するための手段】
斯かる目的を達成するため、請求項１に係る発明は、複数の収納ケースが上下方向に重ねて収納される携行具本体の側部に、当該収納ケースを出し入れする開口部が形成されると共に、当該開口部を開閉する蓋体を備えた釣用携行具に於て、上記携行具本体内の底部を、開口部側から携行具本体の奥部側に向かって下方へ傾斜させたことを特徴とする。
【０００８】
そして、請求項２に係る発明は、請求項１記載の釣用携行具に於て、携行具本体内に、開口部側から奥部側に向かって下方へ傾斜する底体を装着したことを特徴とし、請求項３に係る発明は、請求項２記載の釣用携行具に於て、底体は、携行具本体に着脱自在であることを特徴としている。
【０００９】
（作用）
各請求項に係る発明によれば、携行具本体の底部が開口部側から下方に傾斜しているため、収納ケースは開口部側から携行具本体の底部に沿って傾斜し乍ら奥部側へ重心が傾いて携行具本体内に積み重なり、この結果、船上のように揺れる場所で蓋体を開放したり、傾斜した場所で開口部を斜め下方に向けて蓋体を開放しても、携行具本体の底部の傾斜が収納ケースの飛び出しを防止し、また、下段側の収納ケースを引き出す際に、上段側の収納ケースが一緒に引き出されてしまうことが殆どなく、また、仮に途中まで一緒に引き出されても、下段側の収納ケースを釣用携行具から取り出すと同時に、上段側の収納ケースは自然に携行具本体内にずり落ちることとなる。
【００１０】
そして、請求項３に係る発明によれば、底体が携行具本体から自在に着脱できることとなる。
【００１１】
【発明の実施の形態】
以下、本発明の実施形態を図面に基づき詳細に説明する。
【００１２】
図１及び図２は請求項１乃至請求項３に係る釣用携行具の第一実施形態を示し、図に於て、２１は撥水加工処理が施されたナイロン製の釣用携行具で、図６に示す釣用携行具と同様、釣用携行具２１は、正面側側部に開口部２３が形成された略直方体形状の携行具本体２５と、当該携行具本体２５に縫着されて開口部２３を上方から覆うカバー２７と、携行具本体２５の左右側部に取り付く複数のポケット部２９，３１，３３とで構成されており、携行具本体２５の各角部の内側に軟質の芯材が縫着されてその外形形状が維持されている。
【００１３】
而して、上記開口部２３は、携行具本体２５の正面側側部の略全面に設けられており、当該開口部２３を介して携行具本体２５内に、樹脂で形成された扁平な直方体形状の収納ケース３５が上下方向に重ねて複数収納できるようになっている。そして、開口部２３とこれを覆うカバー２７の周縁部に開閉用のファスナ３７が縫着されており、収納ケース１５を出し入れする際には、図示するようにファスナ３７を全開し、カバー２７を上方へ展開して開口部２３を開放すればよい。
【００１４】
また、携行具本体２５の内底面３９の全面には、発泡スチロールや発泡ポリエチレン等で形成した断面直角三角形状の芯材４１ａをナイロン等の布材４１ｂで被覆した底体４１が、面ファスナ４３を介して着脱自在に装着されており、携行具本体２５内の底部は、底体４１の傾斜面４５によって開口部２３側から携行具本体２５の奥部側に向かって下方へ傾斜した構造となっている。
【００１５】
尚、上記傾斜面４５の傾斜角度は想定される使用状況に応じて設定すればよく、例えば揺れの激しい船上での使用を主に想定した場合、傾斜面４５の傾斜角度は大きく設定するのが好ましい。
そして、図示しないが本実施形態に於ても、携行具本体２５の上部にはショルダーベルトや提手が取り付けられており、当該ショルダーベルトや提手を介して釣用携行具２１を持ち運ぶことができるようになっている。
【００１６】
本実施形態はこのように構成されているから、ルアーや釣針，錘，釣糸等の小物用品を釣場に持参する場合、図１に示すようにファスナ３７を全開し、カバー２７を上方へ展開して開口部２３からルアーや釣針，錘等の小物用品を収納した収納ケース３５を携行具本体２５内に順次積層していけばよく、図２に示すように収納ケース３５は底体４１の傾斜面４５に沿って傾斜し乍ら、順次積み重ねられることとなる。
【００１７】
そして、釣用携行具２１を釣場に持ち運んで収納ケース３５を出し入れする場合、図１に示すようにファスナ３７を全開し、カバー２７を上方へ展開して開口部２３を開放すればよい。
而して、既述したように釣用携行具２１は、携行具本体２５内の底部が、底体４１の傾斜面４５によって開口部２３側から奥部側に向かって下方へ傾斜した構造となっているため、図２に示すように収納ケース３５は傾斜面４５に沿って傾斜し乍ら奥部側へ重心が傾いて積み重なり、この結果、船上のように揺れる場所でカバー２７を開放しても、また、傾斜した場所で開口部２３を斜め下方に向けてカバー２７を開放しても、傾斜面４５が開口部２３からの収納ケース３５の飛び出しを防止する。
【００１８】
また、斯様に収納ケース３５は傾斜面４５に沿って傾斜し乍ら奥部側へ重心が傾いて携行具本体２５内に積み重なっているため、開口部２３から下段側の収納ケース３５を引き出す際に、上段側の収納ケース３５が一緒に引き出されてしまうことが殆どなく、仮に途中まで一緒に引き出されても、下段側の収納ケース３５を釣用携行具２１から取り出すと同時に、上段側の収納ケース３５は自然に携行具本体２５内にずり落ちることとなる。
【００１９】
更にまた、底体４１は携行具本体２５の内底面３９に面ファスナ４３を介して着脱自在であるから、底体４１を取り外すことで、図６に示す従来例と同様に使用することもできる。
このように本実施形態によれば、船上のように揺れる場所でカバー２７を開放したり、傾斜した場所で開口部２３を斜め下方に向けてカバー２７を開放しても、収納ケース３５は傾斜面４５に沿って傾斜し乍ら奥部側へ重心が傾いて携行具本体２５内に積み重なっているため、従来に比し開口部２３から収納ケース３５が飛び出し難くなり、この結果、収納ケース３５を出し入れする度にいちいちファスナ３７を操作して開口部２３を閉めておく必要がなくなり、カバー２７を開放したままにすることができることとなった。
【００２０】
また、既述したように下段側の収納ケース３５を引き出す際に、上段側の収納ケース３５が一緒に引き出されてしまうことが殆どなく、また、仮に途中まで一緒に引き出されても、下段側の収納ケース３５を釣用携行具２１から取り出すと同時に、上段側の収納ケース３５は自然に携行具本体２５内にずり落ちるため、従来に比し収納ケースの取り出しが容易となった。
【００２１】
而も、本実施形態によれば、釣人の目線より下方に釣用携行具２１を置いた場合、開口部２３から収納ケース３５を斜め上方に引き出すため、収納ケース３５をスムーズに取り出すことができる利点を有する。
そして、本実施形態に係る釣用携行具２１は、既存の釣用携行具内に面ファスナ４３を介して底体４１を着脱自在に装着したものであるため、構造が簡単で、コストを抑えて収納ケース３５の飛び出し防止が図れることとなった。
【００２２】
図３は請求項１乃至請求項３に係る釣用携行具の第二実施形態を示し、本実施形態は、上述した底体４１の芯材４１ａに空洞部４７を設けた中空な芯材４１ａ-1をナイロン等の布材で被覆して底体４１-1を形成すると共に、当該底体４１-1を面ファスナ４３を介して携行具本体２５の内底面３９に着脱自在に装着したもので、その他の構成は上記第一実施形態と同様であるので、同一のものには同一符号を付してそれらの説明は省略する。
【００２３】
而して、本実施形態に係る釣用携行具２１-1によっても、上記第一実施形態と同様、所期の目的を達成することが可能であると共に、底体４１-1の芯材４１ａ-1に空洞部４７を設けることで、上記釣用携行具２１に比し釣用携行具２１-1をより軽量化することが可能となる。
図４は請求項１及び請求項２に係る釣用携行具の一実施形態を示し、本実施形態は、既述した底体４１，４１-1に代え、発泡スチロールからなるボード材をナイロン等の布材で被覆した底体４９を、開口部２３側から奥部側に下方に傾斜させて携行具本体２５の内底面３９側に縫着したもので、その他の構成は、図１に示す釣用携行具２１と同様である。
【００２４】
而して、本実施形態に係る釣用携行具２１-2によっても、上記各実施形態と同様、所期の目的を達成することが可能である。
また、図５は請求項１乃至請求項３の第三実施形態を示し、図中、５１は上記携行具本体２５と同一材料で略直方体形状に形成された釣用携行具５３の携行具本体で、携行具本体５１の正面側側部と背面側側部には、夫々、収納ケース３５を出し入れする開口部５５，５７が形成され、そして、各開口部５５，５７を夫々上方から覆うカバー５９，６１が携行具本体５１に縫着されており、開口部５５，５７とカバー５９，６１の周縁部に開閉用のファスナが縫着されている。
【００２５】
また、携行具本体５１内の中央には、両開口部５５，５７に対向して一つの仕切壁６３が上下方向に設けられており、当該仕切壁６３によって携行具本体５１内に二つの収納部６５，６７が区画形成されている。
そして、本実施形態は、両収納部６５，６７の内底面６９，７１の全面に、面ファスナ４３を介して底体４１を着脱自在に装着したもので、両収納部６５，６７の底部は、底体４１の傾斜面４５によって夫々開口部５５，５７側から奥部側（仕切壁６３）に向かって下方へ傾斜した構造となっている。
【００２６】
尚、図示しないが本実施形態に於ても、携行具本体５１の上部にはショルダーベルトや提手が取り付けられており、当該ショルダーベルトや提手を介して釣用携行具５３を持ち運ぶことができるようになっている。
本実施形態はこのように構成されているから、ルアーや釣針，錘，釣糸等の小物用品を釣場に持参する場合、ファスナを全開し、カバー５９，６１を上方へ展開して両開口部５５，５７から小物用品を収納した収納ケース３５を携行具本体５１内に順次積層していけばよく、図示するように収納ケース３５は底体４１の傾斜面４５に沿って傾斜し乍ら、各収納部６５，６７内に順次積み重ねられることとなる。
【００２７】
そして、釣用携行具２１を釣場に持ち運んで収納ケース３５を出し入れする場合、ファスナを全開し、カバー５９，６１を上方へ展開して開口部５５，５７を開放すればよい。
而して、既述したように釣用携行具５３は、各収納部６５，６７内の底部が、底体４１の傾斜面４５によって開口部５５，５７側から夫々奥部側に向かって下方へ傾斜した構造となっているため、図示するように収納ケース３５は傾斜面４５に沿って傾斜し乍ら奥部側へ重心が傾いて積み重なり、この結果、船上のように揺れる場所でカバー５９，６１を開放しても、また、傾斜した場所でいずれか一方の開口部５５，５７を斜め下方に向けてカバー５９，６１を開放しても、傾斜面４５が開口部５５，５７からの収納ケース３５の飛び出しを防止する。
【００２８】
また、斯様に収納ケース３５は傾斜面４５に沿って傾斜し乍ら奥部側へ重心が傾いて携行具本体２５内に積み重なっているため、開口部５５，５７から下段側の収納ケース３５を引き出す際に、上段側の収納ケース３５が一緒に引き出されてしまうことが殆どなく、仮に途中まで一緒に引き出されても、下段側の収納ケース３５を釣用携行具５３から取り出すと同時に、上段側の収納ケース３５は自然に携行具本体５１内にずり落ちることとなる。
【００２９】
従って、本実施形態によっても、従来に比し開口部５５，５７から収納ケース３５が飛び出し難くなり、この結果、収納ケース３５を出し入れする度にいちいちファスナ操作して開口部５５，５７を閉めておく必要がなくなり、カバー５９，６１を開放したままにすることができることとなった。
また、既述したように下段側の収納ケース３５を引き出す際に、上段側の収納ケース３５が一緒に引き出されてしまうことが殆どなく、また、仮に途中まで一緒に引き出されても、下段側の収納ケース３５を釣用携行具５３から取り出すと同時に、上段側の収納ケース３５は自然に携行具本体５１内にずり落ちるため、従来に比し収納ケースの取り出しが容易となった。
【００３０】
而も、本実施形態にあっても、釣人の目線より下方に釣用携行具５３を置いた場合、開口部５５，５７から収納ケース３５を斜め上方に引き出すため、収納ケース３５をスムーズに取り出すことができる利点を有する。
尚、図示しないが、例えば上記底体４１の傾斜面４５にラバー等の滑止め部材を貼着しておけば、収納ケース３５の飛び出しを更に確実に防止することが可能である。
【００３１】
【発明の効果】
以上述べたように、各請求項に係る釣用携行具によれば、収納ケースは開口部側から携行具本体の底部に沿って傾斜し乍ら奥部側へ重心が傾いて携行具本体内に積み重なるため、船上のように揺れる場所で蓋体を開放したり、傾斜した場所で開口部を斜め下方に向けて蓋体を開放しても、開口部から収納ケースが飛び出し難く、この結果、収納ケースを出し入れする度にいちいち開閉具を操作して開口部を閉めておく必要がなくなった。
【００３２】
また、下段側の収納ケースを引き出す際に、上段側の収納ケースが一緒に引き出されてしまうことが殆どなく、また、仮に途中まで一緒に引き出されても、下段側の収納ケースを釣用携行具から取り出すと同時に、上段側の収納ケースは自然に携行具本体内にずり落ちるため、従来に比し収納ケースの取り出しが容易となった。
【００３３】
而も、本発明によれば、釣人の目線より下方に釣用携行具を置いた場合、開口部から収納ケースを斜め上方に引き出すため、収納ケースをスムーズに取り出すことができる利点を有する。
更にまた、本発明によれば、構造が簡単で、コストを抑えて収納ケースの飛び出し防止が図れることとなった。
【図面の簡単な説明】
【図１】請求項１乃至請求項３の第一実施形態に係る釣用携行具の全体斜視図である。
【図２】図１に示す釣用携行具の断面図である。
【図３】請求項１乃至請求項３の第二実施形態に係る釣用携行具の断面図である。
【図４】請求項１及び請求項２の一実施形態に係る釣用携行具の断面図である。
【図５】請求項１乃至請求項３の第三実施形態に係る釣用携行具の断面図である。
【図６】従来の釣用携行具の全体斜視図である。
【符号の説明】
２１，２１-1，２１-2，５３  釣用携行具
２３，５５，５７  開口部
２５，５１  携行具本体
２７，５９，６１  カバー
３５  収納ケース
３９，６９，７１  内底面
４１，４１-1，４９  底体
４５  傾斜面
６３  仕切壁
６５，６７  収納部
【図１】
0003779547.tif 000002
【図２】
0003779547.tif 000003
【図３】
0003779547.tif 000004
【図４】
0003779547.tif 000005
【図５】
0003779547.tif 000006
【図６】
0003779547.tif 000007